(57)【要約】      （修正有）【課題】実際の運動環境を模擬できるモジュール化の地形変化装置を提供する。【解決手段】モジュール化の地形変化装置１００は、複数の固定保持ユニット１１と一つの制御保持ユニット１２とを有し、隣接して設置する複数の地形保持機構１と、柔軟性を持ち、複数の地形保持機構１を覆う表層を有する地形形成機構２と制御保持ユニット１２と接続し、固定保持ユニット１１の往復運動に応じて制御保持ユニット１２を制御する制御機構３とを含み、制御保持ユニット１２の上部が地形形成機構２に当たり、地形形成機構２の表面の輪郭が変わり、実際の運動環境を模擬でき、より訓練の需要を符合する。【選択図】図１
0003200877.tif 000002
【実用新案登録請求の範囲】
【請求項１】
複数の固定保持ユニットと一つの制御保持ユニットとを有し、隣接して設置する複数の地形保持機構と、
柔軟性を持ち、複数の地形保持気孔を覆う表層を有する地形形成機構と
前記制御保持ユニットと接続し、前記固定保持ユニットの往復運動に応じて制御保持ユニットを制御する制御機構とを含み、
前記制御保持ユニットの上部が地形形成機構に当たることで、地形形成機構の表面の輪郭が変わることを特徴とするモジュール化の地形変化装置。
【請求項２】
各地形保持機構の前記制御保持ユニットが一つ或は複数であることを特徴とする請求項１記載のモジュール化の地形変化装置。
【請求項３】
各地形保持機構の前記複数の固定保持ユニットと前記制御保持ユニットの間に補助保持ユニットを有し、前記補助保持ユニットが前記複数の固定保持ユニットと前記制御保持ユニットの間で補助保持することを特徴とする請求項１記載のモジュール化の地形変化装置。
【請求項４】
前記制御保持ユニットが前記複数の固定保持ユニットの表面の外部に伸びる運動をすることを特徴とする請求項１記載のモジュール化の地形変化装置。
【請求項５】
前記地形形成機構の表層が芝の形の表面を有することを特徴とする請求項１記載のモジュール化の地形変化装置。
【請求項６】
前記地形形成機構の表層がクライミングウォール状の表面を有することを特徴とする請求項１記載のモジュール化の地形変化装置。
【請求項７】
前記固定保持ユニットが円柱形、三角柱形、六角柱形或は多角柱形であることを特徴とする請求項１記載のモジュール化の地形変化装置。
【考案の詳細な説明】
【技術分野】
【０００１】
本考案は一種の運動練習装置に関するもので、特に、一種の地勢を変えるモジュール化の地形変化装置である。
【背景技術】
【０００２】
近年、生活水準が上がると共に、人は徐々に屋外へ行って運動し、健康を求めるようになっている。運動をしながら広い緑の景色を楽しむような活動は、身も心も快適になることから、たくさんの人が夢中になるレジャーアクティビティとなっている。
【０００３】
しかし、ゴルフを挙げると、コースの建設には大きな面積の土地が必要になり、コストが高くなり、いつでもできて気軽にできるスポーツとは言いがたい。そのため、毎回いざというときに優れたプレイができるように、一般的には、まず練習場へ行って腕を磨いてスキルを向上させる。従来の練習装置にはいろいろな種類があった。例えば、人工芝で平らな地面を覆うグリーンを想定して行うパターの練習器具、局部に当てて実際のコースの傾度を想定できる練習装置、或は、自らコースでのプレイを模擬できるＶＲ模擬技術などがある。しかしながら、実際のゴルフコースの地勢は起伏しており一定の傾度があり、上述の従来の装置では実際の地勢及び傾斜のある場所でスイングするという手応えが模擬できないため、例えプレイヤーがゴルフ練習場で自在にスイングできるとしても、一旦ゴルフコースへ行き、手応えの差異で実力が大幅に低下することになる。
【考案の概要】
【０００４】
故に、本考案の目的は一種の実際の運動環境を模擬できるモジュール化の地形変化装置を提供する。
【０００５】
従来の技術の課題を解決しようとする本考案が採用する手段は複数の固定保持ユニットと一つの制御保持ユニットとを有し、隣接して設置される複数の地形保持機構と、柔軟性を持ち、複数の地形保持機構を覆う表層を有する地形形成機構と前記制御保持ユニットに接続し、前記固定保持ユニットの往復運動に応じて制御保持ユニットを制御する制御機構とを含み、前記制御保持ユニットの上部が地形形成機構に当たることで、地形形成機構の表面の輪郭が変わることを特徴とするモジュール化の地形変化装置を提供する。
【０００６】
本考案の一つの実施例において、各地形保持機構の前記制御保持ユニットが一つ或は複数であることを特徴とするモジュール化の地形変化装置を提供する。
【０００７】
本考案の一つの実施例においては、各地形保持機構の前記複数の固定保持ユニットと前記制御保持ユニットの間に補助保持ユニットを有し、前記補助保持ユニットが前記複数の固定保持ユニットと前記制御保持ユニットの間で補助保持することを特徴とするモジュール化の地形変化装置を提供する。
【０００８】
本考案の一つの実施例において、前記制御保持ユニットが前記複数の固定保持ユニットの表面の外部に伸びる運動をすることを特徴とするモジュール化の地形変化装置を提供する。
【０００９】
本考案の一つの実施例において、前記地形形成機構の表層が芝の形の表面を有することを特徴とするモジュール化の地形変化装置を提供する。
【００１０】
本考案の一つの実施例において、前記地形形成機構の表層がクライミングウォール状の表面を有することを特徴とするモジュール化の地形変化装置を提供する。
【００１１】
本考案の技術手段によって、所望の運動環境を模擬する地勢データを制御機構に入力すると、地形形成機構の表面の輪郭が変わる。故に、モジュール化の地形変化装置で実際の運動環境とよく似ている練習環境を模擬でき、訓練の需要を更に満たして訓練の効果がより顕著になる。
【図面の簡単な説明】
【００１２】
【図１】本考案の第一実施形態に係るモジュール化の地形変化装置を示す分解図である。
【図２】本考案に係るモジュール化の地形変化装置の地形保持機構を示す斜視図である。
【図３】本考案の第一実施形態に係るモジュール化の地形変化装置の使用状態を示す図である。
【図４】本考案の第一実施形態に係るモジュール化の地形変化装置を示す図である。
【考案を実施するための形態】
【００１３】
図１が示すように、本考案の第一実施形態に係るモジュール化の地形変化装置１００は複数の固定保持ユニット１１と一つの制御保持ユニット１２を有し、隣接して設置される複数の地形保持機構１と、柔軟性を持ち、複数の地形保持機構１を覆う表層を有する地形形成機構２と前記制御保持ユニット１２に接続し、前記固定保持ユニット１１の往復運動に応じて制御保持ユニット１２を制御する制御機構３とを含み、前記制御保持ユニット１２の上部が地形形成機構２に当たることで、地形形成機構２の表面の輪郭が変わることを特徴とする。
【００１４】
本考案において、前記複数の地形保持機構１が並列し、隣接して設置されるが、前記複数の地形保持機構１も垂直に重なり、隣接して設置され、所望の地形を模擬するように無方向性の拡充が進行できる。本実施例において、前記固定保持ユニット１１は四角形の取り囲むフレーム、前記の制御保持ユニット１２を取り囲むフレームの中に収容される。また、他の実施例において、前記の固定保持ユニット１１を構造の需要による円柱形、三角柱形或は六角柱形の取り囲むフレームにすることも可能である。また、前記の固定保持ユニット１１は収容空間を有するものも可能で、その収容空間が制御保持ユニット１２を収容してその中に設置されたものを提供する。本実施例において、前記の制御保持ユニット１２は円柱形のリフタであり、前記の制御保持ユニット１２は油圧或は電気モーターで駆動し、往復運動を行う。本実施例において、前記の地形形成機構２は人工芝であり、その表面は芝の形を有する表面である。制御機構３は地勢データを入力できる電子装置であり、例えば、パソコン、ノートパソコン、タブレット或はスマートフォンである。その中の地勢データは特定位置の地勢の高さのデータである。本実施例において、制御機構３は線路で制御保持ユニット１２と接続するが、制御機構３は無線通信の機能を有する電気装置であることもでき、無線で制御保持ユニット１２と接続し、制御するが本考案はこれに限定されない。
【００１５】
例えば、利用者がゴルフコースの特定のホールのグリーンを模擬するとき、そのグリーンの地勢データを前記の制御機構３に入力し、前記の制御機構３が複数の地形保持機構１の制御保持ユニット１２に対応して往復運動を行い、前記の地形形成機構２に当たって地形形成機構２の輪郭がグリーンの高低の起伏に現れる。
【００１６】
上述の構造によって、所望の運動環境を模擬する地勢データを制御機構に入力し、地形形成機構の表面の輪郭が複数の地形保持機構から当てられることで表面の輪郭が変わる。このため、モジュール化の地形変化装置は実際の運動の環境と極めて似た練習環境で模擬プレイができ、より訓練の需要を満たした訓練の効果をより顕著にする。
【００１７】
図２が示すように、本考案の第一実施例のモジュール化の地形変化装置１００では、各前記の地形保持機構１の制御保持ユニット１２が一つ或は複数である。本考案において、前記の制御保持ユニット１２が一つであるが、他の実施例においては、前記の制御保持ユニット１２が複数設置される。これによって、地勢を模擬する解像度が上げられ、より良い地勢を模擬する効果が得られる。
【００１８】
図２が示すように、本考案の第一実施例のモジュール化の地形変化装置１００では、各前記の地形保持機構１の前記複数の固定保持ユニット１１と前記制御保持ユニット１２の間には補助保持ユニット１３を有し、前記補助保持ユニット１３が複数の固定保持ユニット１１と制御保持ユニット１２の間で補助保持をする。本実施例においては、前記補助保持ユニット１３が前記取り囲んだフレームの上部と下部の内縁に形成される。前記補助保持ユニット１３が放射線状に中心部に収容穴１３１を形成する。これによって、固定保持ユニット１１の構造と剛性が強化し、制御保持ユニット１２がより安定した状態前記収容穴１３１に設置される。
【００１９】
図３が示すように、本考案の第一実施例のモジュール化の地形変化装置１００では、前記制御保持ユニット１２が複数の固定保持ユニット１１の表面の外部で往復運動を行う。他の実施例において、前記制御保持ユニット１２が固定保持ユニット１１の表面の内部に固定されて往復運動を行い、地形形成機構２を凹ませて前記固定保持ユニット１１のフレームの中に固定させ、地勢を模擬する効果も得られる。
【００２０】
図３が示すように、本考案の第一実施例のモジュール化の地形変化装置１００では、地形形成機構２の表層が芝の形の表面を有する。即ち、前記モジュール化の地形変化装置１００がゴルフコースの練習模擬装置として、芝の形の表面にホールを設置することができ、更にグリーンでの模擬プレイができる。
【００２１】
図４が示すように、本考案の第二実施例のモジュール化の地形変化装置１００ａでは、前記地形形成機構２ａの表層がクライミングウォール状の表面を有する。即ち、前記モジュール化の地形変化装置１００ａをゴルフコースの練習模擬装置にする以外、ロッククライミングの練習装置にすることもできる。前記モジュール化の地形変化装置１００ａを垂直に設置し、前記モジュール化の地形変化装置１００の水平設置の方法とは異なる。その中の表層がクライミングウォール状の表面を有する以外、更に複数のホールドを設置することで、より便利な練習場が提供できる。上述の実施例以外、モジュール化の地形変化装置は必要によって、ジャンプ台、ダッシュ斜面、或はＵ型ハーフパイプ等の設備を模擬し、エクストリームスポーツの場所として、多岐にわたって使える。
【００２２】
当該分野の技術を熟知するものが理解できるように、本発明の好適な実施形態を前述の通り開示したが、これらは決して本考案を限定するものではない。本考案の主旨と領域を逸脱しない範囲内で各種の変更や修正を加えることができる。従って、本考案の特許請求の範囲は、このような変更や修正を含めて広く解釈されるべきである。
【符号の説明】
【００２３】
１００、１００ａ  モジュール化の地形変化装置
１  地形保持機構
１１  固定保持ユニット
１２  制御保持ユニット
１３  補助保持ユニット 
１３１  収容穴
２、２ａ  地形形成機構
３  制御機構
【図１】
0003200877.tif 000003
【図２】
0003200877.tif 000004
【図３】
0003200877.tif 000005
【図４】
0003200877.tif 000006
【手続補正書】
【提出日】平成27年9月1日(2015.9.1)
【手続補正１】
【補正対象書類名】実用新案登録請求の範囲
【補正対象項目名】全文
【補正方法】変更
【補正の内容】
【実用新案登録請求の範囲】
【請求項１】
複数の固定保持ユニットと一つの制御保持ユニットとを有し、隣接して設置する複数の地形保持機構と、
柔軟性を持ち、複数の地形保持機構を覆う表層を有する地形形成機構と
前記制御保持ユニットと接続し、前記固定保持ユニットの往復運動に応じて制御保持ユニットを制御する制御機構とを含み、
前記制御保持ユニットの上部が地形形成機構に当たることで、地形形成機構の表面の輪郭が変わることを特徴とするモジュール化の地形変化装置。
【請求項２】
各地形保持機構の前記制御保持ユニットが一つ或は複数であることを特徴とする請求項１記載のモジュール化の地形変化装置。
【請求項３】
各地形保持機構の前記複数の固定保持ユニットと前記制御保持ユニットの間に補助保持ユニットを有し、前記補助保持ユニットが前記複数の固定保持ユニットと前記制御保持ユニットの間で補助保持することを特徴とする請求項１記載のモジュール化の地形変化装置。
【請求項４】
前記制御保持ユニットが前記複数の固定保持ユニットの表面の外部に伸びる運動をすることを特徴とする請求項１記載のモジュール化の地形変化装置。
【請求項５】
前記地形形成機構の表層が芝の形の表面を有することを特徴とする請求項１記載のモジュール化の地形変化装置。
【請求項６】
前記地形形成機構の表層がクライミングウォール状の表面を有することを特徴とする請求項１記載のモジュール化の地形変化装置。
【請求項７】
前記固定保持ユニットが円柱形、三角柱形、六角柱形或は多角柱形であることを特徴とする請求項１記載のモジュール化の地形変化装置。